(57)【要約】      （修正有）【課題】少ない部品構成で、下部前面パネルの高さを調整可能とし、システムキッチンの最下段の収納部の下端の高さと食器洗浄機の下部前面パネルの下端の高さとを一致させ、システムキッチンとしての意匠性の統一感を図った食器洗浄機を提供する。【解決手段】洗浄機本体と、洗浄機本体の前部に設けた前面パネルと、洗浄機本体の下部に洗浄機本体を支持する支持台２０と、支持台２０の前部に設けた下部隠蔽部材２１とを備え、下部隠蔽部材２１は、下部前面パネル２２と、下部前面パネル２２を支持する支持部材２３と、支持部材２３の下部に設けた蹴込み部材２４とを有し、下部前面パネル２２は、前面側を外装面として仕上げられるとともに、上方に高さ調整部を有し、側方に支持部材２３に支持される上下位置調整用の長穴２６を有する構成とした。【選択図】図４
2012024452.tif 000002
【特許請求の範囲】
【請求項１】
洗浄機本体と、前記洗浄機本体の前部に設けた前面パネルと、前記洗浄機本体の下部に前記洗浄機本体を支持する支持台と、前記支持台の前部に設けた下部隠蔽部材とを備え、前記下部隠蔽部材は、下部前面パネルと、前記下部前面パネルを支持する支持部材と、前記支持部材の下部に設けた蹴込み部材とを有し、前記下部前面パネルは、前面側を外装面として仕上げられるとともに、上方に高さ調整部を有し、側方に前記支持部材に上下位置調整可能に支持される固定手段を有する構成としたことを特徴とする食器洗浄機。
【請求項２】
前記固定手段は、前記下部前面パネルに設けた長穴と固定ねじによる構成としたことを特徴とする請求項１記載の食器洗浄機。
【請求項３】
前記高さ調整部は、前記下部前面パネルの裏面上部に水平方向の切断用溝を形成して任意の位置で切断できるように構成したことを特徴とする請求項１又は２記載の食器洗浄機。
【請求項４】
前記支持部材は、上端部を前記下部前面パネルの前記高さ調整部が挿入されて切断面を被覆する形状としたことを特徴とする請求項１〜３のうちいずれか一項記載の食器洗浄機。
【請求項５】
前記蹴込み部材は、前記支持部材の下部で前後の任意の位置に固定される構成としたことを特徴とする請求項１〜４のうちいずれか一項記載の食器洗浄機。
【発明の詳細な説明】
【技術分野】
【０００１】
本発明は、システムキッチンを構成するキッチンカウンタ下などに設置される食器洗浄機に関するものである。
【背景技術】
【０００２】
従来の食器洗浄機１０１においては、図６と図７に示すように、システムキッチンのキッチンカウンタＫの下部に設置すると、食器洗浄機本体の前面パネル１０２、および食器洗浄機本体を上部に設置するための支持台１０４の前面に配設された下部前面パネル１０３とが分離しており、システムキッチンの最下段の収納部の上端の高さと下部前面パネル１０３の上端の高さとが一致しなかったり、それぞれの下端の高さＨ１とＨ２とが一致しなかったりする場合があった。ここは、いわゆる蹴込み部１０５であり、各システムキッチン製造業者間で寸法が統一されていないためにどうしても発生する課題であり、高さが一致しないままではシステムキッチン全体としての意匠性の統一感に乏しい構成となっていた。
【０００３】
上記課題を解決するため、図７に示すような前面パネル１０２の高さが調整可能な構成を有する食器洗浄機があるが、前面パネル１０２の外装面を構成する上でシステムキッチンと同じ化粧板を備えるために、化粧板の外周の切断面を覆う枠体形状部品を有して上端及び下端の位置を上下方向に移動可能な構成としている（例えば、特許文献１参照）。
【先行技術文献】
【特許文献】
【０００４】
【特許文献１】特開２００３−２４５２３６号公報
【発明の概要】
【発明が解決しようとする課題】
【０００５】
しかしながら、従来の構成では、化粧板の外周を覆う枠体形状部品が前方外装面として現れるため、意匠面で限定されることがあるとともに、多くの部品点数で構成されていた。
【０００６】
本発明は上記課題を解決するもので、前面パネルおよび下部前面パネル自体を外装面として成形し、化粧板及びその外周を覆う部品を用いずに、少ない部品数で前記下部前面パネルの下端の高さを調整可能としてシステムキッチンの意匠性の統一性を図るとともに、下部前面パネルの上端の切断面を隠蔽することができる構成を有して意匠性を向上した食器洗浄機を提供することを目的としている。
【課題を解決するための手段】
【０００７】
本発明の食器洗浄機は上記目的を達成するために、洗浄機本体と、前記洗浄機本体の前部に設けた前面パネルと、前記洗浄機本体の下部に前記洗浄機本体を支持する支持台と、前記支持台の前部に設けた下部隠蔽部材とを備え、前記下部隠蔽部材は、下部前面パネルと、前記下部前面パネルを支持する支持部材と、前記支持部材の下部に設けた蹴込み部材とを有し、前記下部前面パネルは、前面側を外装面として仕上げられるとともに、上方に水平方向の高さ調整部を有し、側方に前記支持部材に支持される上下位置調整用の長穴を有する構成としている。
【０００８】
これにより、下部前面パネルに枠体形状部品を用いずに、少ない部品構成で、下部前面パネルの高さを調整可能とし、システムキッチンの最下段の収納部の下端の高さＨ１と食
器洗浄機の下部前面パネルの下端の高さＨ２とを一致させて意匠性の統一感を図ることができる食器洗浄機を提供することができる。
【発明の効果】
【０００９】
本発明の食器洗浄機によれば、少ない部品構成で、下部前面パネルの高さを調整可能とし、システムキッチンの最下段の収納部の下端の高さＨ１と食器洗浄機の下部前面パネルの下端の高さＨ２とを一致させることができ、システムキッチンとしての意匠性の統一感を図ることができる。
【図面の簡単な説明】
【００１０】
【図１】本発明の実施の形態１における食器洗浄機をシステムキッチンに設置した状態の斜視図
【図２】同食器洗浄機の側面図
【図３】同食器洗浄機をシステムキッチンに設置した状態の断面模式図
【図４】同食器洗浄機の要部拡大側面図
【図５】同食器洗浄機の下部隠蔽部材の分解斜視図
【図６】従来の食器洗浄機をシステムキッチンに設置した状態の斜視図
【図７】同食器洗浄機の縦断面図
【発明を実施するための形態】
【００１１】
第１の発明は、洗浄機本体と、前記洗浄機本体の前部に設けた前面パネルと、前記洗浄機本体の下部に前記洗浄機本体を支持する支持台と、前記支持台の前部に設けた下部隠蔽部材とを備え、前記下部隠蔽部材は、下部前面パネルと、前記下部前面パネルを支持する支持部材と、前記支持部材の下部に設けた蹴込み部材とを有し、前記下部前面パネルは、前面側を外装面として仕上げられるとともに、上方に高さ調整部を有し、側方に前記支持部材に上下位置調整可能に支持される固定手段を有する構成としたことを特徴とする食器洗浄機であり、下部前面パネルに枠体形状部品を用いずに、少ない部品構成で、下部前面パネルの高さを調整可能とし、システムキッチンの最下段の収納部の下端高さＨ１と食器洗浄機の下部前面パネルの下端高さＨ２とを一致させて意匠性の統一感を図ることができる。
【００１２】
第２の発明は、第１の発明において、前記固定手段は、前記下部前面パネルに設けた長穴と固定ねじによる構成としたもので、簡単な構成で、細かな高さ調整も容易にできる。
【００１３】
第３の発明は、第１又は第２の発明において、高さ調整部を、下部前面パネルの裏面上部に水平方向の切断用溝を形成して任意の位置で切断できるように構成したもので、下部前面パネルの下端高さＨ２がシステムキッチンの最下段の収納部の下端高さＨ１と一致するように切断することができる。
【００１４】
第４の発明は、第１〜第３のうちいずれかの発明において、支持部材の上端部を、下部前面パネルの高さ調整部が挿入されて切断面を被覆する形状としたもので、加工された切断面を露出させないようにして使用者に対する安全性を確保するとともに見栄えの低下を防止し、さらに経年変化による下部前面パネルのそりや位置ずれを抑制することができる。
【００１５】
第５の発明は、第１〜第４のうちいずれかの発明において、蹴込み部材を支持部材の下部で前後の任意の位置に固定される構成としたものであり、システムキッチンの蹴込み部との前後位置を合わせて意匠性の向上を図ることができる。
【００１６】
（実施の形態１）
図１は、本実施の形態１における食器洗浄機をシステムキッチンに設置した状態の斜視図で、キッチンカウンタの下にビルトインした状態を示す。図２は同食器洗浄機の側面図、図３は同食器洗浄機をシステムキッチンに設置した状態の断面模式図である。
【００１７】
図１と図２において、食器洗浄機１は、洗浄機本体４が支持台２０の上に固定された状態でシステムキッチンのキッチンカウンタＫの下部に設置されている。支持台２０の４つのコーナー部には高さ調整脚２０ａを有しており、洗浄機本体４がキッチンカウンタＫ下の所定の位置、所定の高さに収まるように調整される。また、図３に示すように、食器洗浄機１は、前方開口部７を有する箱状に形成された洗浄機本体４内に、上方に開口する洗浄槽３を洗浄機本体４の前方開口部７から前後方向に出し入れできるようにし、前方に引き出して上方に開口する洗浄槽３から食器類１６を出し入れすることができるようにしたプルオープン型に構成されている。
【００１８】
前面パネル２は、洗浄機本体４の前面を覆うことができる幅に形成され、所定の色彩で表面仕上げを施し、外装面として仕上げられている。洗浄槽３を洗浄機本体４に収納した状態において、前面パネル２は洗浄機本体４の前方開口部７を閉じ、図１に示すように、周囲のシステムキッチンの構築物の前面位置を合わせ、これらとの間に所定の間隙を隔ててシステムキッチンの構築物中に統一感のある状態に設置される。
【００１９】
洗浄機本体４には給水、排水の配管接続及び電源接続がなされ、洗浄槽３には洗浄機本体４から給水弁１１、給水ポンプ１２、給水パイプ１３を通じて給水接続がなされ、洗浄槽３の底面に配設されて回転駆動される洗浄ノズル１４から洗剤を混入させた洗浄水又はすすぎ水を噴射させて食器カゴ１５に収容した食器類１６を洗浄する。この洗浄槽３は、その外側面に取り付けられた第２のスライドレール１８を洗浄機本体４の内側面に取り付けられた第１のスライドレール１７上でスライドさせることにより、洗浄機本体４の前方開口部７から出し入れすることができる。洗浄槽３を洗浄機本体４内に押し入れたときには、洗浄槽３の上方開口部は内蓋１９によって密閉され、洗浄する水が外部に飛散しないようにしている。
【００２０】
前面パネル２の上方には操作部５が設けられている。操作部５には、図１に示すように、洗浄槽３を洗浄機本体４内に収納したとき、収納状態に保持するロック機構を解除して洗浄槽３の引き出しを可能にするロック解除レバーを有する把持部１０や、食器乾燥時の乾燥空気の排気口９、食器洗浄機１の運転を操作する操作入力ボタン８ａや表示部８ｂなどが設けられている。操作部５は、図２に示すように、前面パネル２の上方に前方に突出して取り付けられ、その内部にはスイッチ類や基板などの電装部品を備えた電装品収容部６が取り付けられる。
【００２１】
図４は、食器洗浄機の要部拡大側面図で、洗浄機本体４を所定の高さに設置するための支持台２０の前方部分を示している。支持台２０の前部には、内部が見えないように下部隠蔽部材２１を備え、下部隠蔽部材２１は、下部前面パネル２２と、下部前面パネル２２を支持する支持部材２３と、支持部材２３の下部に設けた蹴込み部材２４で構成されている。下部隠蔽部材２１は、ネジによる固定や係止爪の勘合などにより支持台２０に設置されている。
【００２２】
下部前面パネル２２は、前面パネル２と統一感を有するように前面側を外装面として仕上げられている。また、下部前面パネル２２の裏面の上方には水平方向の切断溝（図示せず）が形成された高さ調整部（図示せず）を有し、任意の位置で切断することができるようになっている。さらに、下部前面パネル２２の前面から側方に回り込んだ位置には支持部材２３への固定手段として、固定ねじ２５で固定される長穴２６が設けられている。固定ねじ２５が当たる長穴２６の座面は下部前面パネル２２の側面よりも凹に形成されてお
り、固定ねじ２５が前面から見ても隠蔽された状態となって、より高い意匠性を実現することができる。
【００２３】
支持部材２３の上端は、前面パネル２の下端に平行に近接して水平のラインを形成するとともに、図４の円内に拡大して示すように、ヨコ断面は逆Ｊ字状に下向き溝２３ａが形成されている。この下向き溝２３ａは左右端も閉じられている。図５は、食器洗浄機の下部隠蔽部材の分解斜視図である。図４と図５において、下部前面パネル２２の上端を支持部材２３の下向き溝２３ａに挿入して組み立てるようになっている。
【００２４】
このようにして、下部前面パネル２２は前記高さ調整部で切断され、長穴２６にそって上下方向に移動可能に構成されることで、下端高さＨ２の調整が可能になっている。これにより、システムキッチンの収納部の下端高さＨ１と合わせることができ、意匠性の向上を図ることができる。
【００２５】
また、前記高さ調整部の切断面２２ａは上方向に移動後、支持部材２３の上端の下向き溝２３ａにより前方、側面、後方が被覆され、保護された状態で配置されるので、使用者が切断面に触れるようなことがなく安全性を確保することができるとともに、見栄えの低下を防止できる。また、下部前面パネル２２が経年変化によってそりなどの形状変化を起こしたり、下部前面パネル２２に応力がかかる場合などにおいて浮いたり、位置がずれたりすることを抑制することができ、形状保持、位置保持などにおける長期信頼性を確保することができる。
【００２６】
また、更に高さ調整したい場合、上方だけでなく下方に溝を有する構成により、実現することができる。また、従来のような枠体形状部品を有しない構成としているので枠体部品に必要な厚みが不要になり、薄くコンパクトな構成とすることができる。また、下部前面パネル２２と支持部材２３の色はそれぞれ任意に設定することが可能であるが、これらの色を同色、同質にすることで一体部品構成のような外観を実現することができ、高い意匠性を有することができる。
【００２７】
システムキッチンの最下端部の蹴込み部Ｄは黒を基本に様々な色で構成されている。本実施の形態１において、下部前面パネル２２の下端高さＨ２を大きくなるように調整すると、支持部材２３の下部と蹴込み部材２４が前方から見えるようになる。従って、これらの色がシステムキッチンの蹴込み部の色と異なった場合には、シールなど別部品を貼り付けたりすることによって、周囲との色合わせをすることができる。この場合、シールなど他の部品ではなく、塗装など他の色づけ方法による場合も同様の効果が得られる。
【００２８】
また、図４において、蹴込み部材２４は前後（図面上は左右）の任意の位置に固定可能としている。これにより、システムキッチンの蹴込み部においても周囲との前後位置を合わせて段差を抑制して意匠性の向上を図ることができる。
【００２９】
なお、本実施例では、上方に開口部を有する洗浄槽を設けた食器洗浄機としたが、前方に開口部と扉とを有する洗浄槽を備えた食器洗浄機においても下部隠蔽部材は同様の構成とすることができ、同様の効果を得ることができる。
【産業上の利用可能性】
【００３０】
本発明によれば、少ない部品数で前面パネルの高さを調整可能としつつ、その切断面を保護する形状により切断面を保護する安全性を有しながら、高い意匠性を有することができるものであり、システムキッチンに組み込むことができる他の機器においても、意匠性の統一感を図ることができる。
【符号の説明】
【００３１】
１  食器洗浄機
２  前面パネル
４  洗浄機本体
２０  支持台
２１  下部隠蔽部材
２２  下部前面パネル
２３  支持部材
２４  蹴込み部材
２５  固定ねじ
２６  長穴
【図１】
2012024452.tif 000003
【図３】
2012024452.tif 000004
【図４】
2012024452.tif 000005
【図５】
2012024452.tif 000006
【図６】
2012024452.tif 000007
【図７】
2012024452.tif 000008
【図２】
2012024452.tif 000009